(57)【要約】【課題】自然のエネルギーを使用して、内陸の水域の水を循環させ方法を提供すること。【解決手段】  干潮時と満潮時に水位差を生じる干満水域と、内陸水域との間を通水管で連続して、満潮時と干潮時の水位差を利用し、通水管の開口部の開閉、あるいは水門の開閉によって内陸水域の水の循環を行う。【選択図】        図１
2006055760.tif 000002
【特許請求の範囲】
【請求項１】
干潮時と満潮時に水位差を生じる干満水域と、
内陸に存在する内陸水域との間を通水管で連続し、
通水管の干満水域側の端には干満側開口を設け、
通水管の内陸水域側の端には内陸側開口を設け、
通水管の内陸水域側の途中には中間開口を設け、
干満水域の満潮時には、
通水管の干満側開口を開口し、
かつ通水管の内陸側開口を開口して、
干満水域の水を通水管を通して内陸水域に流入させ、
干満水域の干潮時には、通水管の干満側開口を開口し、
かつ通水管の中間開口を開口して、
内陸水域側の水を、通水管を通して干満水域に吐出させて行う、  
内陸水域の水の循環方法。
【請求項２】
干潮時と満潮時に水位差を生じる干満水域と、
この干満水域と連続した内陸水域との間に水門を設け、
干満水域と内陸水域との間を通水管で連続し、
通水管の干満水域側の端には干満側開口を設け、
通水管の内陸水域側の端には内陸側開口を設け、
通水管の内陸水域側の途中には中間開口を設け、
干満水域の満潮時には、
通水管の干満側開口を開口し、
かつ通水管の内陸側開口、中間開口を開口して、
干満水域の水を通水管を通して内陸水域に流入させ、
干満水域の干潮時には、
通水管の干満側開口、内陸側開口、および中間開口を閉鎖し、
かつ水門を開放して、
内陸水域側の水を、開放した水門を通して干満水域に吐出させて行う、  
内陸水域の水の循環方法。
【発明の詳細な説明】
【技術分野】
【０００１】
本発明は、内陸水域の水の循環方法に関するものである。
【背景技術】
【０００２】
城の周囲の御堀や溜池などの内陸水域は、都市化が進むことで水の枯渇や汚濁の問題が発生している。
すなわち水の汚れによる悪臭の発生、ヘドロの堆積、生物の死滅、浮遊ゴミの滞留などの問題である。
【発明の開示】
【発明が解決しようとする課題】
【０００３】
こうした問題を解決するためには、文献を挙げるまでもなく、ポンプによる新鮮な水の入れ替え、噴水による酸素の供給などの対策が知られている。
しかしいずれの方法も長期間、維持してゆくには多くのエネルギーと管理体制を必要として不経済なものである。
【課題を解決するための手段】
【０００４】
上記のような課題を解決するために、本発明の内陸水域の水の循環方法は干潮時と満潮時に水位差を生じる干満水域と、内陸に存在する内陸水域との間を通水管で連続し、通水管の干満水域側の端には干満側開口を設け、通水管の内陸水域側の端には内陸側開口を設け、通水管の内陸水域側の途中には中間開口を設け、干満水域の満潮時には、通水管の干満側開口を開口し、かつ通水管の内陸側開口を開口して、干満水域の水を通水管を通して内陸水域に流入させ、干満水域の干潮時には、通水管の干満側開口を開口し、かつ通水管の中間開口を開口して、内陸水域側の水を、通水管を通して干満水域に吐出させて行う、内陸水域の水の循環方法を特徴とするものである。
また本発明の内陸水域の水の循環方法は、干潮時と満潮時に水位差を生じる干満水域と、この干満水域と連続した内陸水域との間に水門を設け、干満水域と内陸水域との間を通水管で連続し、通水管の干満水域側の端には干満側開口を設け、通水管の内陸水域側の端には内陸側開口を設け、通水管の内陸水域側の途中には中間開口を設け、干満水域の満潮時には、通水管の干満側開口を開口し、かつ通水管の内陸側開口、中間開口を開口して、干満水域の水を通水管を通して内陸水域に流入させ、干満水域の干潮時には、通水管の干満側開口、内陸側開口、および中間開口を閉鎖し、かつ水門を開放して、内陸水域側の水を、開放した水門を通して干満水域に吐出させて行う、内陸水域の水の循環方法を特徴とするものである。
【発明の効果】
【０００５】
本発明の内陸水域の水の循環方法は以上説明したようになるから次のような効果を得ることができる。
＜１＞  内陸に設けた水路や溜池、御堀などの内陸水域の滞留水を、自然の流れに近い方法で入れ替えて、水質を改善することができる。
＜２＞  干満水域の満潮時と干潮時の水位差をエネルギーとして利用するから、きわめて経済的に水の循環を行うことができる。
＜３＞  特に、通水管の一端を水路や御堀などの奥深くに設置しておいたり、あるいは分岐させて水域を奥深くまで配置しておけば、内陸の奥深くの水が常に入れ替わることになり、水域全体の循環を行うことができる。
【発明を実施するための最良の形態】
【０００６】
以下図面を参照にしながら本発明の好適な実施の形態を詳細に説明する。
【実施例】
【０００７】
＜１＞対象とする水域。
本発明の循環方法の対象とする水域は、御堀、溜池、水路、など（以下「内陸水域Ｂ」）である。
この内陸水域Ｂは、一般には干満の差を生じる「干満水域Ａ」の影響を受ける内陸の水域である。  
あるいは、現在は干満水域Ａの影響を受けていない、独立した内陸水域Ｂであっても、両者を後述する通水路１で連結することによって干満水域Ａの影響を受けるように構成できれば、そのような内陸水域Ｂも本発明の対象となる。
【０００８】
＜２＞水門２の設置。
例えば海（干満水域Ａ）と直接つながっているお堀（内陸水域Ｂ）のような、干満水域Ａと連続した内陸水域Ｂの場合には、両者の間に水門２を設ける。
ここで「水門２」とは、扉板を水中から引き上げたり、水中に下ろしたりするタイプのものだけではなく、例えば通常の鋼管の開口部に、蓋板をピンで係止した逆止弁のような、水流によって開閉するタイプの扉も含んだ意味である。
水門２の開閉は、水流による自動開閉、電動式、油圧式、手動式などの公知の手段を採用することができる。
【０００９】
＜３＞通水管１の敷設
干満水域Ａと内陸水域Ｂとの間に通水管１を敷設して、干満水域Ａと内陸水域Ｂとを通水管１で連続する。
そしてこの通水管１の一方の端は、干満水域Ａ側に開口して干満側開口１１を形成する。
また、通水管１の他方の端を内陸水域Ｂ側に開口して、内陸側開口１２を形成する。
内陸水域Ｂにおける開口位置は、一般にはできるだけ内陸水域Ｂの奥深くの、通常は水が停滞しやすい位置に設けることが効率的である。
あるいは、中心部の水深が深い、池のような内陸水域Ｂでは、最も深い中心部に通水管１の内陸側開口１２を位置させることも有効である。
さらに、通水管１の内陸水域Ｂ側の途中も開口して中間開口１３を形成する。
この中間開口１３を多数箇所に設けると、水の出入り箇所が増加するから、水の循環作業がより容易となる。
干満側開口１１、内陸側開口１２、および中間開口１３には蓋やバルブを設けておく。
この蓋やバルブなどの開閉は、水流による自動開閉、電動式、油圧式、手動式などの公知の手段を採用することができる。
なお、図では通水管１は地中に配置した状態を描いているが、実際には水底に敷設するだけでも実施は可能である。
次に、２種類のケースに分けて水の循環のシステムを説明する。
【００１０】
＜４＞  ケース１の満潮時。（図１）
干満水域Ａの満潮時には、通水管１の干満側開口１１を開口する。
かつ通水管１の内陸側開口１２を開口する。
その状態で干満水域Ａの水位が上昇すると、干満水域Ａの水は通水管１を通して内陸側開口１２から、内陸水域Ｂに流入する。
こうして、従来では流れが生じにくかった内陸の水域の奥に、干満水域Ａからの新鮮な水が導入される。
この場合に、中間開口１３を閉鎖することが不可欠の要件ではなく、中間開口１３を開口することも可能である。
ただし、中間開口１３からの干満水域Ａからの水を導入し、さらに次に説明する干潮時に中間開口１３から排出する方法では、中間開口１３周辺の水だけが出入りして内陸水域Ｂ全体の水の流れが阻止される可能性がある。
したがって、中間開口１３の設置数、設置間隔、流入量、流入時間などから、内陸水域Ｂ側で水の移動の状況を見て、中間開口１３からの水の導入の採否を判断すればよい。
図では、水の移動の状況が分かりやすいように、内陸側開口１２からのみ干満水域の水を取り入れた場合について説明している。
【００１１】
＜５＞ケース１の干潮時。（図２）
干満水域Ａが満潮時を過ぎて干潮に向かう時刻になったら、通水管１の内陸側開口１２を閉鎖し、干満側開口１１を開口し、かつ通水管１の中間開口１３を開口する。
すると、内陸水域Ｂ側の水は、中間開口１３から流入し、通水管１を通して干満水域Ａに吐出することになる。
この際に内陸側開口１２からではなく、あえて中間開口１３から水を通水管１へ流入させるのは、できるだけ内陸水域Ｂ内において水を移動させるためである。
これが内陸側開口１２だけを利用する構造であると、干満水域Ａからの水は、内陸側開口１２の付近の水だけが出たり入ったりするだけになり、内陸側水域全体の水の循環を行うことが困難となる。
【００１２】
＜６＞ケース２の満潮時（図３）
干満水域Ａの満潮時に、通水管１の干満側開口１１を開口する。
かつ通水管１の内陸側開口１２、中間開口１３を開口する。
その状態で干満水域Ａの水位が上昇すると、干満水域Ａの水は通水管１を通して内陸側開口１２、および中間開口１３から内陸水域Ｂに流入する。
こうして、流れが生じにくい内陸の水域に、干満水域Ａからの新鮮な水があたかも水底から水が湧き出すような状態で導入される。
【００１３】
＜７＞ケース２の干潮時（図４）
干満水域Ａの干潮時には、通水管１の干満側開口１１、内陸側開口１２、および中間開口１３を閉鎖する。
同時に、水門２を開放する。
すると、内陸水域Ｂ側の水は、開放した水門２を通して干満水域Ａに吐出してゆく。
したがって、内陸水域Ｂの適宜の箇所から導入された新鮮な水は、内陸水域Ｂの全体の流れとなって干満水域Ａに流れ出し、内陸水域Ｂの広い範囲の水の循環を行うことができる。
このように水域の一部だけではなく、水域の全体に流れを発生させることが本発明の特徴である。
【００１４】
＜８＞他の実施例。（図５）
上記のケース１の場合には水門の開閉を行わない。
したがって水位差さえ確保できれば水門２の存在は不可欠なものとはいえない。
例えば干満水域Ａとは連続していない、内陸の池、お堀などの内陸水域Ｂとの間に通水管１を敷設して両者を連続させれば、上記の構成を採用することができる。
その場合にも干潮時において、水を干満水域Ａに排出する方法は、図２に示す実施例と同様である。
【図面の簡単な説明】
【００１５】
【図１】本発明の実施例の満潮時の状態の説明図。
【図２】図１の実施例の干潮時の説明図。
【図３】他の実施例の満潮時の説明図。
【図４】図３の実施例の干潮時の説明図。
【図５】他の実施例の満潮時の説明図。
【符号の説明】
【００１６】
１：通水管
２：水門
１１：干潮側開口
１２：内陸側開口
１３：中間開口
【図１】
2006055760.tif 000003
【図２】
2006055760.tif 000004
【図３】
2006055760.tif 000005
【図４】
2006055760.tif 000006
【図５】
2006055760.tif 000007